(57)【要約】空気浄化用の装置が、金属プレートと、金属プレートに電圧を印加するために金属プレートに接続された電気接続部と、金属プレートを加熱するための加熱要素と、金属プレートに水をスプレするために給水部に接続されたノズルとを備えている。さらなる実施態様では、装置が、コイルの周りの電界中心が装置の他のユニットの位置と一致する電界を形成するための通電コイルと共に、金属製シリンダと、シリンダの一方の端部に配置されたファンと、シリンダの他方の端部に配置された制限部とをさらに備えている。【選択図】図２
2005500151.tif 000002
【特許請求の範囲】
【請求項１】
金属プレート（１０）と、
金属プレート（１０）に電圧を印加するために前記金属プレートに接続された電気接続部と、
を備える空気浄化用の装置であって、
金属プレート（１０）を加熱するための加熱要素（２０）と、
金属プレート（１０）に水をスプレするために給水部（２２）に接続されたノズル（２１）と、
をさらに備えることを特徴とする装置。
【請求項２】
加熱要素（２０）が電気抵抗からなり、７００Ｗの出力を生成することを特徴とする、請求項１に記載の装置。
【請求項３】
金属プレート（１０）が約５００℃の温度に達することを特徴とする、請求項１に記載の装置。
【請求項４】
金属製シリンダ（３０）と、該シリンダの一方の端部に配置されたファン（３１）と、前記シリンダの他方の端部に配置された制限部（３２）とをさらに備えることを特徴とする、請求項１に記載の装置。
【請求項５】
コイル（４１、４２）の周りの電磁界の中心が前記装置の他のユニットの位置と一致する電磁界を形成するために、電流伝導コイル（４１、４２）をさらに備えることを特徴とする、請求項１〜４のいずれか１項に記載の装置。
【請求項６】
コイル（４１、４２）が加熱要素（２０）と直列に電気接続されることを特徴とする、請求項５に記載の装置。
【請求項７】
金属プレート（１０）がベリリウム青銅から製造されることを特徴とする、請求項１〜６のいずれか１項に記載の装置。
【請求項８】
金属プレート（１０）が銅（Ｃｕ）から製造されることを特徴とする、請求項１〜７のいずれか１項に記載の装置。
【請求項９】
ノズル（２１）からの水が高温の金属プレート（１０）に当たるときに生成される蒸気を除去するための吸引ユニット（２４）をさらに備えることを特徴とする、請求項１〜８のいずれか１項に記載の装置。
【発明の詳細な説明】
【技術分野】
【０００１】
本発明は、空気浄化用、特に室内空気浄化用の装置に関する。
【０００２】
多くの室内環境は、空気の品質に関わる重大な問題を有する。臭いとほこりおよび過多または過少の湿度は不快感を生じ、健康上の問題をもたらす可能性がある。
【０００３】
室内空気を浄化する複数の方法があり、最も一般的な方法は、循環空気の機械的濾過および電圧フィールドに引き付けられる分子のイオン化である。
【背景技術】
【０００４】
ＥＰ４２４３３５は空気、煙道ガス等の浄化用の方法および装置に関し、この場合、浄化は、シャフト、ダクト、または電極を収容するパイプ内で実行される。電極とシャフト／ダクト／パイプ内の１つまたは複数の壁部との間には、電位差がある。電極は空気／煙道ガス内の不純物粒子をイオン化し、次に、これらの不純物粒子は壁部に引き付けられ、壁部に付着する。壁部は、一定間隔で不純物を水で洗い流すことによって清浄にされる。
【０００５】
この形式の装置の不都合は、装置が、粒子または分子をイオン化するために高電圧を使用し、このため装置内に高電圧源を含み、このことが接触の際に潜在的な危険をもたらす場合があることである。
【０００６】
【特許文献１】
ＥＰ４２４３３５明細書
【発明の開示】
【発明が解決しようとする課題】
【０００７】
本発明の目的は、複数の種類の不純物に有効に作用しかつ危険を含まない室内空気浄化用の装置を提供することである。
【０００８】
本発明の目的は、特許請求の範囲の特徴によって達成される。
【課題を解決するための手段】
【０００９】
本発明による装置は、好ましくはベリリウム青銅の金属プレートを備える。金属プレートは２つの機能を有する。第１に、金属プレートは電圧源に電気接続され、このようにして、金属プレートと装置のハウジング（シャシ）との間に電位差を形成する。電位差は、空気中の荷電された不純物粒子を引き付ける。
【００１０】
第２に、金属プレートは特定の温度、好ましくは５００℃に加熱され、このようにして、引き付けられた不純物が金属プレートに当たり金属プレート上で燃焼するようにする。金属プレートが徐々に汚染されるので、不純物を除去するために金属プレートは一定間隔で水をスプレされ、また槽内でホースにより水で洗い流され、その後、不純物を建物の排水システムに排出することができる。このようにして、不純物は迅速かつ効率的に空気から除去される。
【００１１】
好ましい実施態様では、本装置には、金属製シリンダと、シリンダ内に空気を吹き込んで、シリンダ内に過圧を形成するシリンダの一方の端部に配置されたファンとが装備される。シリンダの他方の端部は、空気が通過する制限部を有する。不純物はシリンダに付着される。
【００１２】
本発明の他の好ましい実施態様では、本装置は電流伝導コイルによって囲まれる。コイルは、これらのコイルの周りに発生される電界が共通の電界を形成するように巻回される。本装置の他のユニットはこの電界中心に配置される。
【００１３】
次に、添付図を参照して、実施例により本発明についてより詳細に記述する。
【発明を実施するための最良の形態】
【００１４】
好ましい実施態様では、本発明による装置は、図１と図２に示したような構造の金属プレートを備える。
【００１５】
図１は、金属プレート１０が環境から電気絶縁されるが、整流ブリッジ１２に電気接続される方法を示している。整流ブリッジ１２は、通常の電源からの２２０Ｖの交流電圧を４５Ｖの交流電圧に下方に変圧するための変圧器１３に電気接続される。整流ブリッジの出力部は４５Ｖの直流電圧を供給する。整流ブリッジおよび金属プレートはスイッチ１４を介して（シャシに）接地される。この構造では、金属プレートとアース１１との間の電位差は、スイッチを接続および遮断することによって変更できる。スイッチの接続および遮断は、コンピュータによって制御可能であり、またアースに対して中立電位と正電位との差で金属プレートが交互になるように実施されることが好ましい。
【００１６】
図２は、好ましくは７００Ｗの出力を生成する加熱要素２０によって加熱できる金属プレート１０を示している。金属プレートは傾斜されることが好ましい。
【００１７】
金属プレート１０に当たる粒子は金属プレートに付着されて、その上で燃焼される。金属プレートは、少量のベリリウム（２〜７％）を有する銅合金であるベリリウム青銅から製造されることが好ましく、これにより、著しく硬質かつ固体の合金が得られる。それらの合金は、存在する最も強い銅合金であり、またすべての高強度合金の中で最善の導電体である。代わりに、金属プレートを純銅または適切な他の金属／合金から製造してもよい。
【００１８】
ノズル２１は金属プレート１０の上端に配置される。ノズルには、通常の水道本管から水道管２２を介して弁２３を通して水が供給される。ノズル２１からの水が金属プレート１０に当たると、水は蒸発し、この蒸気は吸引ユニット２４に吸い上げられて、排出される。吸引ユニット２４を断熱材料で覆って、金属プレートの冷却を防止し得る。不純物の金属プレート１０を清浄にするために、ノズル２１は一定間隔で金属プレート１０の上に水をスプレする。その間隔は汚染度および金属の種類に左右されるが、通常、ベリリウム青銅では２４時間当たり３〜５回、また銅では２４時間当たり５〜１０回である。
【００１９】
図３の代替的実施態様では、金属プレート１０は、一方の端部にファン３１および他方の端部に空気流を制限する制限部３２を有する金属製シリンダ３０と組み合わせられる。シリンダは分子を引き付け、これによって、本発明による装置の効率を向上する。
【００２０】
さらに、本発明による装置は、導電体によって巻回されかつ図２の加熱要素２０と直列に接続された図４に示したようなコイル４１と４２を備えることが可能である。コイルの周りに発生される電界は電界全体を形成する。コイルは、この電界全体の中心位置が装置の他のユニットの位置と一致するように装置の周りに巻回されることが好ましい。
【００２１】
さらに他の代替的実施態様では、装置は、装置を囲む空気湿度を高めるための空気加湿器を備えることが可能である。
【図面の簡単な説明】
【００２２】
【図１】本発明による装置の金属プレートの電気接続部の図面である。
【図２】ノズル、加熱要素および通気手段を有する金属プレートの図面である。
【図３】シリンダ内に過圧を発生するファンを有する金属製シリンダの図面である。
【図４】電流伝導コイルの好ましい配向を示した図面である。
【国際公開パンフレット】
2005500151.tif 000003
2005500151.tif 000004
2005500151.tif 000005
2005500151.tif 000006
2005500151.tif 000007
2005500151.tif 000008
2005500151.tif 000009
2005500151.tif 000010
2005500151.tif 000011
2005500151.tif 000012
2005500151.tif 000013
【国際調査報告】
2005500151.tif 000014
2005500151.tif 000015